(57)【要約】【課題】現調者等の専門のスタッフの負担を軽減するとともに、施工者の公営競技場の運営に支障を与えずに速やかにギフト券を発券可能な投票券発券端末を導入すること。【解決手段】操作端末４と接続され、所定額の投票券購入代金として扱われるギフト券を発券可能な公営競技の投票券発券端末３を遠隔で管理できる発券端末管理装置２であって、操作端末４から送信されたギフト券のデザインを構成する基礎となる基ギフト情報を受信すると、基ギフト情報を投票券発券端末３で扱えるギフトＣＧデータに変換するデータ変換部２０２と、変換されたギフトＣＧデータをギフト券集合データ２１１の任意の領域に組み込むギフト情報データ組込部２０３と、ギフト券を使用する公営競技の場名と、ギフト券集合データ２１１に組み込まれたギフトＣＧデータの領域と、を紐付ける場名定義ファイルを生成する場名定義ファイル生成部２０４と、を備える。【選択図】図６
2020035150.tif 000002
【特許請求の範囲】
【請求項１】
操作端末と接続され、所定額の投票券購入代金として扱われるギフト券を発券可能な公営競技の投票券発券端末を遠隔で管理できる発券端末管理装置であって、
前記操作端末から送信された前記ギフト券のデザインを構成する基礎となる基ギフト情報を受信すると、前記基ギフト情報を前記投票券発券端末で扱えるギフト情報データに変換するデータ変換部と、
前記データ変換部により変換された前記ギフト情報データをギフト券集合データの任意の領域に組み込むギフト情報データ組込部と、
前記ギフト券を使用する前記公営競技の場名と、前記ギフト券集合データに組み込まれた前記ギフト情報データの領域と、を紐付ける場名定義ファイルを生成する場名定義ファイル生成部と、
を備えることを特徴とする発券端末管理装置。
【請求項２】
前記操作端末から、前記ギフト情報データと、前記場名定義ファイルとを含むギフトデータのダウンロード指示を受け付けると、前記投票券発券端末に前記ギフトデータのシステム版数を通知し、前記通知したシステム版数が、前記投票券発券端末のシステム版数よりも新しい場合には、前記投票券発券端末への前記ギフトデータのダウンロード処理を実行するデータ転送部
をさらに備えることを特徴とする請求項１に記載の発券端末管理装置。
【請求項３】
前記操作端末から、システム版数の閲覧請求を受けると、前記公営競技の場名ごと設置されている投票券発券端末に適用されている前記ギフト情報データの版数および前記場名定義ファイルの版数を含むシステム版数を前記操作端末に通知するシステム版数管理部をさらに備えることを特徴とする請求項１または２に記載の発券端末管理装置。
【請求項４】
前記基ギフト情報は、前記ギフト券のデザインを構成する前記ギフト券のタイトル、前記ギフト券を使用する場名、前記ギフト券のガイダンス、のうち少なくとも１つ以上の情報を含む
ことを特徴とする請求項１〜３のうち何れかに記載の発券端末管理装置。
【請求項５】
所定額の投票券購入代金として扱われるギフト券を発券可能な公営競技の投票券発券端末、前記投票券発券端末を遠隔で管理できる発券端末管理装置、および前記発券端末管理装置と接続された操作端末を備える発券端末管理システムであって、
前記発券端末管理装置は、
前記操作端末から送信された前記ギフト券のデザインを構成する基礎となる基ギフト情報を受信すると、前記基ギフト情報を前記投票券発券端末で扱えるギフト情報データに変換するデータ変換部と、
前記データ変換部により変換された前記ギフト情報データをギフト券集合データの任意の領域に組み込むギフト情報データ組込部と、
前記ギフト券を使用する前記公営競技の場名と、前記ギフト券集合データに組み込まれた前記ギフト情報データの領域と、を紐付ける場名定義ファイルを生成する場名定義ファイル生成部と、
前記操作端末から、前記ギフト情報データと、前記場名定義ファイルとを含むギフトデータのダウンロード指示を受け付けると、前記投票券発券端末に前記ギフトデータのシステム版数を通知するデータ転送部と、を備え、
前記投票券発券端末は、
前記発券端末管理装置から通知されたシステム版数と、前記投票券発券端末のシステム版数とを比較する版数比較部と、
前記版数比較部による比較した結果、前記発券端末管理装置から通知されたシステム版数の方が新しい場合には、前記ギフトデータのダウンロードを実施するダウンロード実施部
を備えることを特徴とする発券端末管理システム。
【請求項６】
前記発券端末管理装置は、
前記ダウンロード実施部によりダウンロードした前記ギフトデータに基づき、前記投票券発券端末のギフトデータを更新するデータ更新部
をさらに備えることを特徴とする請求項５に記載の発券端末管理システム。
【請求項７】
操作端末と接続され、所定額の投票券購入代金として扱われるギフト券を発券可能な公営競技の投票券発券端末を遠隔で管理できる発券端末管理装置のコンピュータに、
前記操作端末から送信された前記ギフト券のデザインを構成する基礎となる基ギフト情報を受信すると、前記基ギフト情報を前記投票券発券端末で扱えるギフト情報データに変換し、
前記変換されたギフト情報データをギフト券集合データの任意の領域に組み込み、
前記ギフト券を使用する前記公営競技の場名と、前記ギフト券集合データに組み込まれた前記ギフト情報データの領域と、を紐付ける場名定義ファイルを生成する
処理を実行させる発券端末管理プログラム。
【請求項８】
操作端末と接続され、所定額の投票券購入代金として扱われるギフト券を発券可能な公営競技の投票券発券端末を遠隔で管理できる発券端末管理装置の発券端末管理方法であって、
前記操作端末から送信された前記ギフト券のデザインを構成する基礎となる基ギフト情報を受信すると、前記基ギフト情報を前記投票券発券端末で扱えるギフト情報データに変換し、
前記変換されたギフト情報データをギフト券集合データの任意の領域に組み込み、
前記ギフト券を使用する前記公営競技の場名と、前記ギフト券集合データに組み込まれた前記ギフト情報データの領域と、を紐付ける場名定義ファイルを生成する
ことを特徴とする発券端末管理方法。
【発明の詳細な説明】
【技術分野】
【０００１】
本発明は、発券端末管理装置、発券端末管理システム、発券端末管理プログラムおよび発券端末管理方法に関する。
【背景技術】
【０００２】
近年、公営競技場の施行者は、売上向上を目的として例えば、所定額の投票券購入代金として扱われるギフト券をユーザに配布している。ギフト券は、ギフト券を発券可能な投票券発券端末から発券している。
【０００３】
このようなギフト券を発券可能な投票券発券端末の技術の一例が開示されている（例えば、特許文献１参照）。
【先行技術文献】
【特許文献】
【０００４】
【特許文献１】特開２０１８−０５５４３３号公報
【発明の概要】
【発明が解決しようとする課題】
【０００５】
ギフト券を発券可能な投票券発券端末においてギフト券を発券するためには、
１．ギフト券を使用する場名、ギフト券の名称、ギフト券の注意ガイダンス等を含むギフト券のデザインを構成する基礎となる基ギフト情報を施行者ごとに作成する処理、
２．作成した基ギフト情報をギフト券を発券可能な投票券発券端末で扱えるギフト情報データ（「ギフトＣＧデータ」とも呼ぶ）に変換する処理、
３．変換したギフト情報データを、ギフト券データに追加登録する処理、
４．ギフト券データに登録したギフト情報データと、施行者の場名を定義した場名定義ファイルと、をギフト券を発券可能な投票券発券端末のファーム（以下、「ギフト券対応端末ファーム」と呼ぶ）に組み込む処理、
５．組み込んだギフト券対応端末ファームを可搬型記憶媒体に記憶して、現地へ搬送する処理、
６．可搬型記憶媒体により搬送したギフト券対応端末ファームをギフト券を発券可能な投票券発券端末に適用する処理、
を含む複数の処理を、限られた開発者や現調者等の専門のスタッフが行う必要がある。
【０００６】
そのため、ギフト券を発券可能な投票券発券端末を導入する機会が増えるほど、上記複数の処理を繰り返す必要があることから、現調者等の専門のスタッフの負担が大きくなるという問題がある。さらに、ギフト券を発券可能な投票券発券端末の導入行程が重複すると、導入行程の調整や稼働時期の遅れが発生し、施行者の公営競技場の運営に支障をきたすという問題がある。
【０００７】
本発明は、上記課題に鑑み、現調者等の専門のスタッフの負担を軽減するとともに、施工者の公営競技場の運営に支障を与えずに速やかにギフト券を発券可能な投票券発券端末を導入することができる技術を提供することを目的とする。
【課題を解決するための手段】
【０００８】
本発明の一態様によれば、操作端末と接続され、所定額の投票券購入代金として扱われるギフト券を発券可能な公営競技の投票券発券端末を遠隔で管理できる発券端末管理装置であって、前記操作端末から送信された前記ギフト券のデザインを構成する基礎となる基ギフト情報を受信すると、前記基ギフト情報を前記投票券発券端末で扱えるギフト情報データに変換するデータ変換部と、前記データ変換部により変換された前記ギフト情報データをギフト券集合データの任意の領域に組み込むギフト情報データ組込部と、前記ギフト券を使用する前記公営競技の場名と、前記ギフト券集合データに組み込まれた前記ギフト情報データの領域と、を紐付ける場名定義ファイルを生成する場名定義ファイル生成部と、を備えることを特徴とする。
【０００９】
また、本発明の一態様によれば、所定額の投票券購入代金として扱われるギフト券を発券可能な公営競技の投票券発券端末、前記投票券発券端末を遠隔で管理できる発券端末管理装置、および前記発券端末管理装置と接続された操作端末を備える発券端末管理システムであって、前記発券端末管理装置は、前記操作端末から送信された前記ギフト券のデザインを構成する基礎となる基ギフト情報を受信すると、前記基ギフト情報を前記投票券発券端末で扱えるギフト情報データに変換するデータ変換部と、前記データ変換部により変換された前記ギフト情報データをギフト券集合データの任意の領域に組み込むギフト情報データ組込部と、前記ギフト券を使用する前記公営競技の場名と、前記ギフト券集合データに組み込まれた前記ギフト情報データの領域と、を紐付ける場名定義ファイルを生成する場名定義ファイル生成部と、前記操作端末から、前記ギフト情報データと、前記場名定義ファイルとを含むギフトデータのダウンロード指示を受け付けると、前記投票券発券端末に前記ギフトデータのシステム版数を通知するデータ転送部と、を備え、前記投票券発券端末は、前記発券端末管理装置から通知されたシステム版数と、前記投票券発券端末のシステム版数とを比較する版数比較部と、前記版数比較部による比較した結果、前記発券端末管理装置から通知されたシステム版数の方が新しい場合には、前記ギフトデータのダウンロードを実施するダウンロード実施部を備えることを特徴とする。
【００１０】
また、本発明の一態様によれば、操作端末と接続され、所定額の投票券購入代金として扱われるギフト券を発券可能な公営競技の投票券発券端末を遠隔で管理できる発券端末管理装置のコンピュータに、前記操作端末から送信された前記ギフト券のデザインを構成する基礎となる基ギフト情報を受信すると、前記基ギフト情報を前記投票券発券端末で扱えるギフト情報データに変換し、前記変換されたギフト情報データをギフト券集合データの任意の領域に組み込み、前記ギフト券を使用する前記公営競技の場名と、前記ギフト券集合データに組み込まれた前記ギフト情報データの領域と、を紐付ける場名定義ファイルを生成する処理を実行させる発券端末管理プログラム。
【００１１】
また、本発明の一態様によれば、操作端末と接続され、所定額の投票券購入代金として扱われるギフト券を発券可能な公営競技の投票券発券端末を遠隔で管理できる発券端末管理装置の発券端末管理方法であって、前記操作端末から送信された前記ギフト券のデザインを構成する基礎となる基ギフト情報を受信すると、前記基ギフト情報を前記投票券発券端末で扱えるギフト情報データに変換し、前記変換されたギフト情報データをギフト券集合データの任意の領域に組み込み、前記ギフト券を使用する前記公営競技の場名と、前記ギフト券集合データに組み込まれた前記ギフト情報データの領域と、を紐付ける場名定義ファイルを生成することを特徴とする。
【発明の効果】
【００１２】
本発明の一態様によれば、現調者等の専門のスタッフの負担を軽減するとともに、施工者の公営競技場の運営に支障を与えずに速やかにギフト券を発券可能な投票券発券端末を導入することができる。
【図面の簡単な説明】
【００１３】
【図１】本発明の実施形態の発券端末管理システム１の一例を示す図である。
【図２】発券端末管理装置２のハードウェア構成の一例を示すブロック図である。
【図３】投票券発券端末３のハードウェア構成の一例を示すブロック図である。
【図４】ギフト券のレイアウトの一例を示す図である。
【図５】操作端末４のハードウェア構成の一例を示すブロック図である。
【図６】発券端末管理装置および投票券発券端末の機能構成の一例を示す図である。
【図７】操作端末４の閲覧画面の一例を示す図である。
【図８】新規追加・管理情報更新画面の一例を示す図である。
【図９】ギフト券集合データ２１１の構造の一例を示す図である。
【図１０】操作端末４の版数管理ファイル編集画面の一例を示す図である。
【図１１】場名定義ファイルの一例を示す図である。
【図１２】端末ファーム版数管理ファイル２１３の一例を示す図である。
【図１３】フィールド適用版数管理画面の一例を示す図である。
【図１４】投票券発券端末ファームの内部構造の一例を示す図である。
【図１５】操作端末４のギフトデータ転送方式選択画面の一例を示す図である。
【図１６Ａ】発券端末管理システム１が実行する発券端末管理処理の一例を示すシーケンスチャート（その１）である。
【図１６Ｂ】発券端末管理システム１が実行する発券端末管理処理の一例を示すシーケンスチャート（その２）である。
【図１６Ｃ】発券端末管理システム１が実行する発券端末管理処理の一例を示すシーケンスチャート（その３）である。
【図１６Ｄ】発券端末管理システム１が実行する発券端末管理処理の一例を示すシーケンスチャート（その４）である。
【発明を実施するための形態】
【００１４】
以下に本発明の実施形態について図面を参照しながら詳細に説明する。図１は、本発明の実施形態の発券端末管理システム１の一例を示す図である。
【００１５】
図１に示すように、発券端末管理システム１は、発券端末管理装置２、複数の投票券発券端末３−１〜３−ｎ、操作端末４を有する。投票券発券端末３−１〜３−ｎは、公営競技場５ごとに複数設置される。本実施形態の発券端末管理システム１は、競馬、競輪、競艇、オートレース等、種々の公営競技の公営競技場５に適用可能である。図１の例では、操作端末４は１台だが、ギフト券対応端末ファームを開発する開発者、現調者、その他営業担当者がそれぞれ操作できるよう複数台備えていてもよい。
【００１６】
発券端末管理装置２と複数の投票券発券端末３−１〜３−ｎは、ネットワークＮを介して接続されており、相互に通信可能である。各投票券発券端末３−１〜３−ｎは、ＩＰアドレスにより識別可能である。以下では、複数の投票券発券端末３−１〜３−ｎを区別しない場合には、投票券発券端末３と呼ぶことがある。また、ネットワークＮに接続される投票券発券端末３の台数は特に限定されない。投票券発券端末３は、投票券の発売や投票券の払戻を行うとともに、所定額の投票券購入代金として扱われるギフト券を発券する。
【００１７】
図２は、発券端末管理装置２のハードウェア構成の一例を示すブロック図である。発券端末管理装置２は、管理装置制御部２０、記憶部２１、表示部２２、入力部２３、可搬型記憶媒体リーダライタ２４および通信部２５を有する。また、発券端末管理装置２は、図２に示していない他のハードウェア構成を備えていてもよい。
【００１８】
管理装置制御部２０は、発券端末管理装置２全体を統括的に制御するもので、プログラムを読込んで制御処理を実行するＣＰＵ（Central  Processing  Unit）を有する。記憶部２１は、ＲＡＭ（Random  Access  Memory）、ＲＯＭ（Read  Only  Memory）、ＨＤＤ（Hard  Disk  Drive）等を有する。記憶部２１は、管理装置制御部２０が実行するプログラム、表示画面データ、その他各種データを記憶する。また、記憶部２１は、管理装置制御部２０がプログラムを実行する際の作業領域を提供する。また、記憶部２１は、ギフト券集合データ、場名定義データ、端末ファーム版数管理ファイルを有する。ギフト券集合データ、場名定義データ、端末ファーム版数管理ファイルについては後述する。また、記憶部２１は、他のデータ等を備えていてもよい。
【００１９】
表示部２２は、例えばＬＣＤ等のディスプレイであり、管理装置制御部２０の制御のもとで表示画面の表示を行う。入力部２３は、例えばキーボード、マウス等の入力インターフェースであり、発券端末管理装置２の操作者の操作入力を受け付ける。可搬型記憶媒体リーダライタ２４は、管理装置制御部２０の制御のもと、可搬型記憶媒体の読み出しおよび書き込みを行う。可搬型記憶媒体としては、例えば、コンパクトフラッシュ（登録商標）、ＳＤ規格のメモリカード（フラッシュメモリ）およびＵＳＢ規格のコネクタを備えたフラッシュメモリが利用可能である。通信部２５は、管理装置制御部２０の制御のもと、ネットワークＮを介して投票券発券端末３や操作端末４と通信を行う。
【００２０】
図３は、投票券発券端末３のハードウェア構成の一例を示すブロック図である。投票券発券端末３は、発券端末制御部３０、記憶部３１、表示部３２、入力部３３、読取ユニット３４、発券ユニット３５および通信部３６を有する。また、投票券発券端末３は、図３に示していない他のハードウェア構成を備えていてもよい。
【００２１】
発券端末制御部３０は、投票券発券端末３全体を統括的に制御するもので、プログラムを読込んで制御処理を実行するＣＰＵを有する。記憶部３１は、ＲＡＭ、ＲＯＭ、ＨＤＤ等を有する。記憶部３１は、発券端末制御部３０が実行するプログラム、表示画面データ、その他各種データを記憶する。また、記憶部３１は、発券端末制御部３０がプログラムを実行する際の作業領域を提供する。また、記憶部３１は、後述の投票券発券端末ファームを有する。また、記憶部３１は、他のデータ等を備えていてもよい。
【００２２】
表示部３２は、例えばＬＣＤ等のディスプレイであり、発券端末制御部３０の制御のもとで表示画面の表示を行う。入力部３３は、例えばキーボード、マウス等の入力インターフェースであり、投票券発券端末３の操作者の操作入力を受け付ける。
【００２３】
読取ユニット３４は、マークカード読取ユニット３４１および投票券読取ユニット３４２を有する。マークカード読取ユニット３４１は、発券端末制御部３０の制御のもと、挿入されたマークカードから投票データを読み取り、読み取った投票データを発券端末制御部３０へ送信する。投票券読取ユニット３４２は、発券端末制御部３０の制御のもと、投票券から投票内容を読み取り、読み取った投票データを発券端末制御部３０へ送信する。
【００２４】
発券ユニット３５は、発券端末制御部３０の制御のもと、投票内容を印刷して投票券を発券するとともに、ギフトＣＧデータおよび場名を印刷してギフト券を発券する。ギフト券は、ユーザが投票券発券端末３にて投票券を購入する際の投票券購入代金として利用可能なものである。
【００２５】
通信部３６は、発券端末制御部３０の制御のもと、発券端末管理システム１のネットワークＮを介して発券端末管理装置２や操作端末４と通信を行う。
【００２６】
次に、ギフト券を発券可能な投票券発券端末３から発券されたギフト券について説明する。図４は、ギフト券のレイアウトの一例を示す図である。
【００２７】
図４（Ａ）に示されているギフト券１００には、ギフト場名１０１、ギフトタイトル１０２、ギフトガイダンス１０３、二次元バーコード表記欄１０４ａ、１０４ｂを含む情報が記載されている。
【００２８】
ギフト場名１０１には、ギフト券１００が使用できる場名が記載されている。ギフトタイトル１０２には、ギフト券１００の名称が記載されている。ギフトガイダンス１０３には、ギフト券１００を使用する上での注意事項が記載されている。二次元バーコード表記欄１０４ａ、１０４ｂには、ギフト券１００に記載されている情報を示す二次元バーコードが記載されている。
【００２９】
ギフト場名１０１、ギフトタイトル１０２、ギフトガイダンス１０３に対応するギフト情報が決定すると、発券端末管理装置２は、ギフト券データを作成する。投票券発券端末３は、作成したギフト券データをダウンロードして図４（Ｂ）に示されているギフト券１００を発券する。ギフト券データをダウンロードする処理については、後述する。図４（Ｂ）の例では、ギフト場名１０１には、ギフト券１００が使用できる場名として「〇×競馬場」が記載され、ギフトタイトル１０２には、ギフト券１００の名称として「ＡＢＣギフト」が記載され、ギフトガイダンス１０３には、顔マークおよびギフト券１００を使用する上での注意事項として「ご利用は裏面をご確認下さい」の文字が記載されている。ギフト場名１０１、ギフトタイトル１０２、ギフトガイダンス１０３には、文字だけでなく図形、記号も記載することができる。
【００３０】
図５は、操作端末４のハードウェア構成の一例を示すブロック図である。操作端末４は、操作端末制御部４０、記憶部４１、表示部４２、入力部４３および通信部４４を有する。また、操作端末４は、図５に示していない他のハードウェア構成を備えていてもよい。
【００３１】
操作端末制御部４０は、操作端末４全体を統括的に制御するもので、プログラムを読込んで制御処理を実行するＣＰＵを有する。記憶部４１は、ＲＡＭ、ＲＯＭ、ＨＤＤ等を有する。記憶部４１は、操作端末制御部４０が実行するプログラム、表示画面データ、その他各種データを記憶する。また、記憶部４１は、操作端末制御部４０がプログラムを実行する際の作業領域を提供する。また、記憶部４１は、他のデータ等を備えていてもよい。
【００３２】
表示部４２は、例えばＬＣＤ等のディスプレイであり、操作端末制御部４０の制御のもとで表示画面の表示を行う。入力部４３は、例えばキーボード、マウス等の入力インターフェースであり、操作端末４の操作者の操作入力を受け付ける。操作端末４の操作者は、例えば、営業担当者、現調者、開発者等である。通信部４４は、操作端末制御部４０の制御のもと、ネットワークＮを介して発券端末管理装置２や投票券発券端末３と通信を行う。
【００３３】
図６は、発券端末管理装置および投票券発券端末の機能構成の一例を示す図である。
発券端末管理装置２の管理装置制御部２０は、システム版数管理部２０１、データ変換部２０２、ギフト情報データ組込部２０３、場名定義ファイル生成部２０４、データ転送部２０５を有する。管理装置制御部２０は、図６に示していない機能構成を備えていてもよい。発券端末管理装置２の記憶部２１は、ギフト券集合データ２１１、場名定義データ２１２，端末ファーム版数管理ファイル２１３を有する。ギフト券集合データ２１１と、場名定義データ２１２と、をあわせて、「ギフトデータ」とも呼ぶ。発券端末管理装置２の記憶部２１は、図６に示していないデータを備えていてもよい。
【００３４】
投票券発券端末３の発券端末制御部３０は、版数比較部３０１、ダウンロード実施部３０２、データ更新部３０３を有する。発券端末制御部３０は、図６に示していない機能構成を備えていてもよい。
【００３５】
システム版数管理部２０１は、操作端末４から、システム版数の閲覧請求を受けると、投票券発券端末３に適用されているギフトＣＧデータの版数および場名定義ファイルの版数を含むシステム版数を、投票券発券端末３を設置している公営競技の場名（適用場）単位で操作端末４に通知する。システム版数管理部２０１は、さらに、投票券発券端末３に適用されている端末ファーム版数を、投票券発券端末３を設置している公営競技の場名（適用場）単位で操作端末４に通知する。
【００３６】
図７は、操作端末４の閲覧画面の一例を示す図である。図７（Ａ）は、閲覧画面の初期画面である。図７（Ａ）の初期画面が表示されている状態で、ログインを行うと、操作端末４は発券端末管理装置２に対し、システム版数の閲覧請求を行う。
【００３７】
操作端末４からシステム版数の閲覧請求を受けると、発券端末管理装置２のシステム版数管理部２０１は、投票券発券端末３に適用されているギフトＣＧデータの版数と、場名定義ファイルの版数と、端末ファーム版数と、を含むシステム版数を、投票券発券端末３を設置している公営競技の場名（適用場）単位で操作端末４に通知する。操作端末４は、発券端末管理装置２からシステム版数が通知されると、表示部４２に図７（Ｂ）に示す閲覧画面を表示する。図７（Ｂ）に示す閲覧画面には、通知されたギフトＣＧデータの版数と、場名定義ファイルの版数と、端末ファーム版数が投票券発券端末３を設置している公営競技の場名（適用場）単位で表示される。
【００３８】
また、図７（Ｂ）の閲覧画面には、絞込キー５０１、追加・編集キー５０２が表示されている。図７（Ｂ）に表示されている絞込キー５０１を選択することにより、業種、ギフトＣＧ版数、場名定義ファイル版数、端末ファーム版数ごとに絞込を行うことができる。
【００３９】
営業担当者、現調者、開発者は、操作端末４を用いて図７（Ｂ）に示す閲覧画面を参照して、各施工主（適用場）に適用されているギフトＣＧ版数、場名定義ファイル版数等のシステム版数を自由に確認することができる。したがって、例えば、営業担当者や現調者が開発者に対し、どの施工主（適用場）にどの版数のギフトＣＧデータや、場名定義ファイルが適用されているのかヒアリング等により確認する必要がなくなる。このため、営業担当者や現調者等の専門のスタッフの負担を軽減することができ、各施工主の適用場の運営に支障を与えずに速やかにギフト券を発券可能な投票券発券端末を導入することができる。
【００４０】
開発者や営業担当者等により図７（Ｂ）に表示されている追加・編集キー５０２が選択されると、操作端末４の表示部４２に図８に示す新規追加・管理情報更新画面が表示される。図８は、新規追加・管理情報更新画面の一例を示す図である。図８の新規追加・管理情報更新画面には、絞込キー５０１、編集キー５０３、編集欄５０４、反映キー（編集）５０５、新規登録キー５０６、新規登録欄５０７、反映キー（新規登録）５０８が表示されている。
【００４１】
開発者等により編集キー５０３が選択されると、編集欄５０４が編集可能な状態となる。編集欄５０４には、すでに入力済の業種、端末ファーム版数、ギフトＣＧ版数、場名定義ファイル版数、適用場の項目がある。開発者等により編集欄５０４に入力済の情報が編集された後に、反映キー（編集）５０５が選択されると、編集欄５０４で編集した内容が端末ファーム版数管理ファイル２１３に反映される。端末ファーム版数管理ファイル２１３については後述する。
【００４２】
また、開発者等により新規登録キー５０６が選択されると、新規登録欄５０７が入力可能な状態となる。新規登録欄５０７には、業種、端末ファーム版数、ギフトＣＧ版数、場名定義ファイル版数、適用場の項目がある。開発者等により新規登録欄５０７に情報が入力された後に、反映キー（編集）５０８が選択されると、新規登録欄５０７で入力した内容が端末ファーム版数管理ファイル２１３に反映される。端末ファーム版数管理ファイル２１３については後述する。
【００４３】
操作端末４からギフト券のデザインを構成する基礎となる基ギフト情報が送信されると、データ変換部２０２は、操作端末４から送信された基ギフト情報を受信する。本実施形態においては、基ギフト情報は、ＢＭＰ（Bitmap）形式の画像である。但し、基ギフト情報はＢＭＰ形式の画像に限られず、ＪＰＥＧ（Joint Photographic Experts Group）形式、ＧＩＦ（Graphics Interchange Format）形式、ＴＩＦＦ（Tagged Image File Format）形式等の他の形式の画像を採用してもよい。基ギフト情報は、基ギフトタイトル情報、基ギフト場名情報、基ギフトガイダンス情報のうち少なくとも１つ以上の情報を含む。
【００４４】
そして、データ変換部２０２は、受信した基ギフト情報を投票券発券端末３で扱えるギフトＣＧ（computer graphics）データに変換する。データ変換部２０２により変換されたギフトＣＧデータは、投票券発券端末３で扱える専用のデータ形式である。ギフトＣＧデータは、暗号化されているため発券端末管理装置２、投票券発券端末３、操作端末４以外の端末では、表示や編集をすることができない。ギフトＣＧデータは、本発明の「ギフト情報データ」に対応する。
【００４５】
ギフトＣＧデータは、ギフト券のデザインを構成するギフトタイトルＣＧ、ギフト場名ＣＧ、ガイダンスＣＧのうち少なくとも１つ以上の情報を含む。ギフトタイトルＣＧは、基ギフトタイトル情報に対応して変換されたデータである。ギフト場名ＣＧは、基ギフト場名情報に対応して変換されたデータである。ガイダンスＣＧは、基ギフトガイダンス情報に対応して変換されたデータである。ギフトタイトルＣＧには、ギフト券の名称が含まれる。ギフト場名ＣＧには、顧客名（公営競技場の施行者）が含まれる。ガイダンスＣＧには、ギフト券の注意事項が含まれる。ギフト場名ＣＧ、ギフトタイトルＣＧ、ガイダンスＣＧはそれぞれ、図４のギフト場名１０１、ギフトタイトル１０２、ギフトガイダンス１０３に対応するデータである。
【００４６】
ギフト情報データ組込部２０３は、データ変換部２０２により変換されたギフトＣＧデータを記憶部２１内のギフト券集合データ２１１の任意の領域に組み込む。具体的には、ギフト情報データ組込部２０３は、ギフト場名ＣＧ、ギフトタイトルＣＧ、ガイダンスＣＧを中間データとして結合する。そして、ギフト情報データ組込部２０３は、結合した中間データに操作端末４から送信された顧客名（公営競技場の施行者）の場名定義と、顧客番号と、ギフト券集合データ２１１を格納する格納アドレス領域を追記して顧客のギフト券データを作成する。
【００４７】
図９は、ギフト券集合データ２１１の構造の一例を示す図である。ギフト券集合データ２１１には、それぞれ顧客ごとに作成された複数のギフト券データが組み込まれている。図９の左図は、新規のギフト券データを組み込む前のギフト券集合データ２１１の構造を示し、図９の右図は、新規のギフト券データを組み込んだ後のギフト券集合データ２１１の構造を示す。顧客のギフト券データが作成された後、ギフト情報データ組込部２０３は、操作端末４から指定された任意のアドレス領域に、作成した顧客のギフト券データを格納することで記憶部２１内のギフト券集合データ２１１に組み込む。図９の例では、ギフト情報データ組込部２０３は、ギフト券集合データ２１１のアドレス０２０１〜０３００の領域に、顧客番号０００３のギフト券データを組み込む。
【００４８】
ギフト券集合データ２１１に新規のギフト券データが組み込まれると、ギフト情報データ組込部２０３は、ギフトＣＧ版数を更新する。ギフトＣＧ版数は、ギフトＣＧデータから作成されたギフト券データが組み込まれたギフト券集合データ２１１のバージョン数である。図９の例では、顧客番号０００３のギフト券データが組み込まれると、ギフト情報データ組込部２０３は、ギフトＣＧ版数をＥ０１Ｖ０１からＥ０１Ｖ０２に更新する。本実施形態においては、ギフト券集合データ２１１は、公営競技の業種によらず、単一のギフト券集合データ２１１により構成されているがこの限りではなく、公営競技の業種ごとに異なる複数のギフト券集合データ２１１を作成してもよい。
【００４９】
図１０は、操作端末４の版数管理ファイル編集画面の一例を示す図である。図１０（Ａ）は、端末ファームの版数管理ファイル編集画面である。
【００５０】
システム版数管理部２０１は、操作端末４から、端末ファーム版数のシステム版数管理の要求を受けると、端末ファーム版数管理ファイル２１３に基づき、管理番号、ファーム区分、登録済みファーム版数を含む情報を操作端末４に通知する。操作端末４は、発券端末管理装置２から通知された管理番号、ファーム区分、登録済みファーム版数を含むシステム版数の情報に基づき、図１０（Ａ）に示す版数管理ファイル編集画面の情報を操作端末４の表示部４２に表示する。
【００５１】
図１０（Ａ）の版数管理ファイル編集画面には、編集キー（端末ファーム版数）５１０、ファーム版数選択欄５１１、反映キー５１２が表示されている。編集キー（端末ファーム版数）５１０が開発者や営業担当者等により選択されると、ファーム版数選択欄５１１、反映キー５１２の操作が可能となる。
【００５２】
ファーム版数選択欄５１１には、ファーム区分、登録済みファーム版数、備考１、備考２が管理番号単位で表示されている。ファーム区分は、「業種」と「機種」の情報が含まれる。管理番号は、ファーム区分を識別するための番号である。管理番号およびファーム区分は、端末ファーム版数管理ファイル２１３に登録されている管理番号およびファーム区分と同一の情報である。登録済みファーム版数は、現地の各競技場の投票券発券端末３に適用されている端末ファームの版数を示す情報である。登録済みファーム版数は、端末ファーム版数管理ファイル２１３に登録されているフィールド適用版数情報と同一の情報である。備考１、備考２にはその他必要な情報が表示される。
【００５３】
ファーム版数選択欄５１１に表示されている登録済みファーム版数が開発者等により選択されると、端末ファーム版数を追加または編集することができる。その後、反映キー５１２が選択されると、システム版数管理部２０１は、追加または編集した端末ファーム版数を発券端末管理装置２の端末ファーム版数管理ファイル２１３に反映する。
【００５４】
図１０（Ｂ）は、ギフト券データおよび場名定義ファイルの版数管理ファイル編集画面である。
【００５５】
システム版数管理部２０１は、操作端末４から、ギフト券データおよび場名定義ファイルのシステム版数管理の要求を受けると、ギフトＣＧ版数、場名定義ファイル版数を含むシステム版数の情報を操作端末４に通知する。操作端末４は、発券端末管理装置２から通知されたギフトＣＧ版数、場名定義ファイル版数を含むシステム版数の情報に基づき、図１０（Ｂ）に示す版数管理ファイル編集画面の情報を操作端末４の表示部４２に表示する。図１０（Ｂ）の版数管理ファイル編集画面には、編集キー（ギフト券データ／場名定義ファイル版数）５２０、ギフトＣＧ版数選択欄５２１、アドレス追加編集欄５２２、ギフトＣＧ選択欄５２３、自動作成キー５２４が表示されている。
【００５６】
編集キー（ギフト券データ／場名定義ファイル版数）５２０が開発者や営業担当者等により選択されると、ギフトＣＧ版数選択欄５２１、アドレス追加編集欄５２２、ギフトＣＧ選択欄５２３および自動作成キー５２４の操作が可能となる。ギフトＣＧ版数選択欄５２１に表示されているギフトＣＧ版数が開発者等により選択されると、追加または編集するギフトＣＧ版数を選択できる。
【００５７】
アドレス追加編集欄５２２に表示されている場名定義ファイルに記憶されているお客様名が開発者等により選択されると、追加または編集するお客様名（場名）および当該お客様名に対応するギフト券データが組み込まれている開始アドレスおよび終了アドレスを選択できる。
【００５８】
ギフトＣＧ選択欄５２３には、お客様名（場名）およびギフトＣＧデータ選択欄を有する。ギフトＣＧデータを構成するギフトタイトルＣＧ、ギフト場名ＣＧ、ガイダンスＣＧのファイルが開発者等により選択され、自動作成キー５２４が選択されると、ギフト情報データ組込部２０３は、選択されたギフトＣＧデータに基づきお客様（顧客）のギフト券データを作成し、作成したギフト券データをギフト券集合データ２１１の任意の領域に組み込む。図１０（Ｂ）の例では、ギフト情報データ組み込み部は、お客様（顧客）「ＡＢＣ」のギフトＣＧデータに基づき作成したギフト券データを、アドレス「５０００」〜「５１００」の領域に組み込む。
【００５９】
場名定義ファイル生成部２０４は、ギフト券を使用する公営競技の場名と、ギフト券集合データ２１１に組み込まれたギフトＣＧデータの領域と、を紐付ける場名定義ファイルを生成する。具体的には、場名定義ファイル生成部２０４は、操作端末４からギフト券を使用する公営競技の場名（施工主名）が送信されると、当該公営競技の場名と、ギフト券集合データ２１１に組み込まれた、ギフトＣＧデータから作成された顧客のギフト券データの領域と、を紐付ける場名定義ファイルを生成する。
【００６０】
図１１は、場名定義ファイルの一例を示す図である。図１１に示す場名定義ファイルには、場名定義ファイル版数と、顧客番号ごとに、顧客名（公営競技場の施行者）の場名、ギフトＣＧデータに基づき作成されたギフト券データが組み込まれたアドレス領域の開始アドレス、終了アドレスが含まれる。
【００６１】
図１１（Ａ）は、新規なギフト券データを組み込む前の場名定義ファイルを示し、図１１（Ｂ）は、新規なギフト券データの組み込み後の場名定義ファイルを示す。図１１（Ａ）の状態で、顧客番号「０００３」の新たなギフト券データがギフト券集合データ２１１のアドレス０２０１〜０３００の領域に組み込まれると、場名定義ファイル生成部２０４は、図１１（Ｂ）に示すように、顧客番号の項目に「０００３」、顧客名（公営競技場の施行者）の場名の項目にギフト券データを使用する場名として「ＣＣＣ競馬」、開始アドレスと終了アドレスにそれぞれギフト券データの組み込まれた領域の開始アドレス「０２０１」と終了アドレス「０３００」を入力して場名定義ファイルを生成する。
【００６２】
図１２は、端末ファーム版数管理ファイル２１３の一例を示す図である。図１２の例では、ファーム区分、最新登録版数情報、適用場名、フィールド適用版数情報、適用端末の情報が管理番号単位で、登録されている。
【００６３】
ファーム区分には、端末ファームが適用される「業種」と「機種」の情報が紐付けされて登録されている。最新登録版数情報には、発券端末管理装置２に登録されている最新の端末ファーム版数を格納する。この最新登録版数情報は、発券端末管理装置２に最新の端末ファーム版数が登録されるたびに更新される。
【００６４】
適用場名には、端末ファームが適用されている投票券発券端末３の場名が登録される。フィールド適用版数情報には、現地の各競技場の投票券発券端末３に適用されている端末ファームの版数が登録される。投票券発券端末３に端末ファームが適用されていない場合には、当該適用場のフィールド適用版数情報および適用端末は、「適用なし」として登録される。適用端末には、端末ファームが適用されている投票券発券端末３のＩＰアドレスが登録される。なお、適用場名、フィールド適用版数および適用端末は、後述のフィールド適用版数管理画面において設定された情報に基づいて設定される。また、ファーム区分、最新登録版数は、図１０の版数管理ファイル編集画面において設定された情報に基づいて設定される。
【００６５】
システム版数管理部２０１は、操作端末４から、フィールド適用版数の閲覧請求を受けると、ギフト券集合データ２１１に登録されているギフトＣＧ版数の情報、場名定義データ２１２に登録されている場名定義ファイル版数の情報、端末ファーム版数管理ファイル２１３に登録されているファーム区分、最新登録版数情報、適用場名、フィールド適用版数情報、適用端末の情報を操作端末４に通知する。
【００６６】
操作端末４は、発券端末管理装置２のシステム版数管理部２０１から通知されたギフトＣＧ版数の情報、場名定義ファイル版数の情報、最新登録版数情報、適用場名、フィールド適用版数情報、適用端末の情報を受信すると、図１３に示すフィールド適用版数管理画面を表示部４２に表示する。図１３は、フィールド適用版数管理画面の一例を示す図である。図１３（Ａ）は、画面に基づくフィールド適用版数管理画面の一例を示す図である。
図１３（Ａ）の画面に基づくフィールド適用版数管理画面には、登録キー（画面登録）５５０、フィールド適用版数選択欄５５１、反映キー５５２が表示されている。登録キー（画面登録）５５０が開発者や営業担当者等により選択されると、フィールド適用版数選択欄５５１、反映キー５５２の操作が可能となる。フィールド適用版数選択欄５５１には、適用場の適用端末ごとに、端末ファーム版数、ギフトＣＧ版数、場名定義ファイル版数の情報が表示されている。適用場には、端末ファームが適用されている場名が表示される。適用端末には、端末ファームが適用されている投票券発券端末３のＩＰアドレスが表示される。端末ファーム版数には、投票券発券端末３に適用されている端末ファームの版数が表示される。ギフトＣＧ版数には、投票券発券端末３に適用されているギフトＣＧ版数が表示される。場名定義ファイル版数には、投票券発券端末３に適用されている場名定義ファイル版数が表示される。フィールド適用版数選択欄５５１に表示されている端末ファーム版数が開発者等により選択され、反映キー５５２が選択されると、操作端末４は、選択した端末ファーム版数を発券端末管理装置２に送信する。
【００６７】
操作端末４から送信された端末ファーム版数を受信すると、システム版数管理部２０１は、送信された端末ファーム版数に対応するフィールド適用版数を発券端末管理装置２の端末ファーム版数管理ファイル２１３に登録する。
【００６８】
図１３（Ｂ）は、ＣＳＶ（comma-separated values）形式のファイルに基づくフィールド適用版数管理画面の一例を示す図である。図１３（Ｂ）のＣＳＶ形式のファイルに基づくフィールド適用版数管理画面には、登録キー（ＣＳＶ登録）５６０、フィールド適用版数選択欄５６１、ＣＳＶ登録欄５６２、反映キー５６３が表示されている。登録キー（ＣＳＶ登録）５６０が開発者や営業担当者等により選択されると、フィールド適用版数選択欄５６１、ＣＳＶ登録欄５６２、反映キー５６３の操作が可能となる。フィールド適用版数選択欄５６１には、適用場の適用端末ごとに、端末ファーム版数、ギフトＣＧ版数、場名定義ファイル版数の情報が表示される。
【００６９】
ＣＳＶ登録欄５６２に端末ファーム情報が登録されたＣＳＶファイルを選択し、反映キー５６３が選択されると、操作端末４は、ＣＳＶファイルに登録された端末ファーム版数を発券端末管理装置２に送信する。ＣＳＶファイルには、適用端末のＩＰアドレス、端末ファーム版数、ギフトＣＧ版数、場名定義ファイル版数、機種の情報を有する。操作端末４から送信された端末ファーム版数を受信すると、システム版数管理部２０１は、送信された端末ファーム版数に対応するフィールド適用版数を発券端末管理装置２の端末ファーム版数管理ファイル２１３に登録する。
【００７０】
データ転送部２０５は、操作端末４から品質評価用の投票券発券端末ファームの作成指示を受けた場合には、システム版数管理部２０１が端末ファーム版数管理ファイル２１３に登録した端末ファーム版数に対応する場名定義ファイル版数の場名定義ファイルと、ギフトＣＧ版数のギフト券データとを含むギフトデータを収集する。そして、データ転送部２０５は、流用ファームに収集したギフトデータを組み込んで品質評価用の投票券発券端末ファームを作成する。データ転送部２０５は、作成した品質評価用の投票券発券端末ファームを可搬型記憶媒体に転送し記録する。
【００７１】
投票券発券端末ファームが記録された可搬型記憶媒体を開発会社の品質保証部門や工場部門に提供することにより、投票券発券端末ファームのリリース前に、不具合を確認することができる。
【００７２】
また、データ転送部２０５は、操作端末４から、ギフトＣＧデータと場名定義ファイルとを含むギフトデータと、端末ファーム版数を含む指定が行われると、ダウンロード指示を受け付け、投票券発券端末３に端末ファーム版数を通知する。この端末ファーム版数は、ギフトデータのシステム版数に対応する。なお、ダウンロード指示が行われる前に、投票券発券端末３に対し、公知のＷａｋｅ−ｏｎ−ＬＡＮ等の技術により特定のパケットを送信することにより、投票券発券端末３の電源を立ち上げておく。または、各場内に投票券発券端末３と接続された管理装置を設け、管理装置から投票券発券端末３に対し電源立ち上げの要求を行うことにより、場内全ての投票券発券端末３の電源を立ち上げてもよい。これにより、現調者の負担を軽減するとともに、施工者の公営競技場の運営に支障を与えずに速やかにギフト券を発券可能な投票券発券端末を導入することができる。
【００７３】
投票券発券端末３の版数比較部３０１は、発券端末管理装置２から端末ファーム版数が通知されると、通知された端末ファーム版数に対応するギフトデータ版数と、投票券発券端末３の投票券発券端末ファームに含まれるギフトデータ版数とを比較する。ダウンロード実施部３０２は、版数比較部３０１による比較した結果、発券端末管理装置２から通知されたギフトデータ版数の方が新しい場合には、比較結果を発券端末管理装置２に通知して、ギフトデータを要求しダウンロードを実施する。
【００７４】
発券端末管理装置２のデータ転送部２０５は、通知した端末ファーム版数に対応するギフトデータ版数が、投票券発券端末のファーム版数に対応するギフトデータ版数よりも新しい場合には、投票券発券端末３へのギフトデータのダウンロード処理を実行する。なお、ダウンロード処理が失敗した場合には、データ転送部２０５は、予めバックアップしておいたバックアップデータを用いて投票券発券端末ファームを復元する。データ更新部３０３は、ダウンロード実施部３０２によりダウンロードしたギフトデータに含まれるギフト券データおよび場名定義ファイルに基づき、投票券発券端末３の投票券発券端末ファームを更新する。
【００７５】
次に、ギフト券に対応した投票券発券端末ファームについて説明する。図１４は、投票券発券端末ファームの内部構造の一例を示す図である。投票券発券端末３の記憶部３１に記憶されている投票券発券端末ファームと、可搬型記憶媒体に記録された投票券発券端末ファームとは、略同一の構成であるため説明を省略する。
【００７６】
ギフト券に対応した投票券発券端末ファームは、ＯＳ（Operating System）、各種デバイスのドライバ（driver）、ミドルウェア（Middleware）、端末ファームデータ、端末ファーム版数データ、場名定義ファイル、ギフト券集合データを有する。投票券発券端末ファームは、図１４に示していないその他のデータを備えていてもよい。
【００７７】
端末ファームデータは、ギフト券を発券できない既存の端末ファームの機能構成と略同様だが、発券端末管理装置２により遠隔管理できる点で相違する。端末ファーム版数データは、発券端末管理装置２から通知され、発券端末管理装置２が自動で版数の更新を行う。
【００７８】
図１５は、操作端末４のギフトデータ転送方式選択画面の一例を示す図である。
図１５（Ａ）は、可搬型記憶媒体へのギフトデータ転送方式選択画面の一例を示す図である。図１５（Ａ）の可搬型記憶媒体へのギフトデータ転送方式選択画面には、選択キー（可搬型記憶媒体）５３０、適用場選択欄５３１、転送キー（可搬型記憶媒体）５３２が表示されている。開発者等により選択キー（可搬型記憶媒体）５３０が選択されると、適用場選択欄５３１、転送キー（可搬型記憶媒体）５３２が選択可能な状態となる。適用場選択欄５３１には、適用場ごとに、業種、端末ファーム版数、ギフトＣＧ版数、場名定義ファイル版数が表示されている。
【００７９】
開発者等により適用場選択欄５３１に表示されている適用場が選択された後に、転送キー（可搬型記憶媒体）５３２が選択されると、データ転送部２０５は、適用場選択欄５３１で選択した適用場で適用される端末ファーム版数に対応する場名定義ファイル版数の場名定義ファイルと、ギフトＣＧ版数のギフト券データとを含むギフトデータを収集する。そして、データ転送部２０５は、流用ファームに収集したギフトデータを組み込んで品質評価用の投票券発券端末ファームを作成し、投票券発券端末ファームを可搬型記憶媒体に転送する。
【００８０】
図１５（Ｂ）は、投票券発券端末３へのギフトデータ転送方式選択画面の一例を示す図である。図１５（Ｂ）の投票券発券端末３へのギフトデータ転送方式選択画面には、選択キー（投票券発券端末）５４０、適用場選択欄５４１、適用端末選択欄５４２、転送キー（投票券発券端末）５４３が表示されている。開発者等により選択キー（投票券発券端末）５４０が選択されると、適用場選択欄５４１、適用端末選択欄５４２、転送キー（投票券発券端末）５４３が選択可能な状態となる。適用場選択欄５４１には、適用場ごとに、業種、端末ファーム版数、ギフトＣＧ版数、場名定義ファイル版数が表示される。
【００８１】
開発者等により適用場選択欄５４１に表示されている適用場が選択されると、適用端末選択欄５４２において、選択された適用場において端末ファームが適用される適用端末ごとに、端末ファーム版数、ギフトＣＧ版数、場名定義ファイル版数、チェックボックスが表示される。適用端末には、適用場において端末ファームが適用され投票券発券端末３のＩＰアドレスが表示される。データ転送部２０５は、開発者等により適用端末選択欄５４２に表示された適用端末のうち、チェックボックスのチェック操作を行った適用端末（投票券発券端末３）に対応する場名定義ファイル版数の場名定義ファイルと、ギフトＣＧ版数のギフト券データとを含むギフトデータを収集する。そして、データ転送部２０５は、収集した場名定義ファイル版数の場名定義ファイルと、ギフトＣＧ版数のギフトＣＧデータとに対応する端末ファーム版数を投票券発券端末３に通知する。この端末ファーム版数は、ギフトデータのシステム版数に対応する。発券端末管理装置２のデータ転送部２０５は、通知した端末ファーム版数に対応するギフトデータ版数が、投票券発券端末のファーム版数に対応するギフトデータ版数よりも新しい場合には、投票券発券端末３へのギフトデータのダウンロード処理を実行する。
【００８２】
次に、発券端末管理システム１を構成する発券端末管理装置２と投票券発券端末３と操作端末４とが実行する発券端末管理処理の流れを、図１６Ａ〜１６Ｄを用いて説明する。
図１６Ａ〜１６Ｄは、発券端末管理システム１が実行する発券端末管理処理の一例を示すシーケンスチャートである。
【００８３】
はじめに、操作端末４は、開発者等からシステム版数の閲覧請求を受け付けると、システム版数の閲覧請求を発券端末管理装置２に通知する（ステップＳ１０１）。操作端末４からシステム版数の閲覧請求が通知されると、システム版数管理部２０１は、投票券発券端末３に適用されているギフトＣＧデータの版数と、場名定義ファイルの版数と、端末ファーム版数と、を含むシステム版数を操作端末４に通知する（ステップＳ１０２）。操作端末４は、発券端末管理装置２からシステム版数が通知されると、表示部４２に図７（Ｂ）に示す閲覧画面を表示する（ステップＳ１０３）。そして、図７（Ｂ）に表示されている追加・編集キー５０２が開発者等により選択されると、操作端末４は、表示部４２に図８に示す新規追加・管理情報更新画面を表示する。
【００８４】
操作端末４は、開発者等から図８に示す新規追加・管理情報更新画面の編集欄５０４に表示される業種、端末ファーム版数、ギフトＣＧ版数、場名定義ファイル版数、適用場の編集または新規登録を受け付ける（ステップＳ１０４）。操作端末４は、受け付けた編集または新規登録の内容を発券端末管理装置２へ通知する。システム版数管理部２０１は、ステップＳ１０４において、編集欄５０４で編集された内容を端末ファーム版数管理ファイル２１３に反映する（ステップＳ１０５）。
【００８５】
操作端末４は、開発者等からギフト券のデザインを構成する基礎となる基ギフト情報を受け付けると、受け付けた基ギフト情報を発券端末管理装置２へ送信する（ステップＳ１０６）。データ変換部２０２は、操作端末４から送信された基ギフト情報を投票券発券端末３で扱えるギフトＣＧデータに変換する（ステップＳ１０７）。ギフト情報データ組込部２０３は、データ変換部２０２により変換されたギフトＣＧデータに基づき、ギフト券データを作成する（ステップＳ１０８）。ギフト情報データ組込部２０３は、ステップＳ１０８において作成したギフト券データを記憶部２１内のギフト券集合データ２１１の任意の領域に組み込む（ステップＳ１０９）。
【００８６】
操作端末４は、開発者等からギフト券データおよび場名定義ファイルのシステム版数管理の要求を受け付けると、受け付けたシステム版数管理の要求を発券端末管理装置２に通知する（ステップＳ１１０）。
【００８７】
システム版数管理部２０１は、操作端末４からシステム版数管理の要求の通知を受け付けると、ギフトＣＧ版数、場名定義ファイル版数を含むシステム版数の情報を操作端末４に通知する（ステップＳ１１１）。
【００８８】
操作端末４は、発券端末管理装置２から通知されたギフトＣＧ版数、場名定義ファイル版数を含むシステム版数の情報に基づき、図１０に示す版数管理ファイル編集画面の情報を操作端末４の表示部４２に表示する（ステップＳ１１２）。操作端末４は、開発者等からギフトＣＧデータの選択を受け付けると、選択されたギフトＣＧデータを発券端末管理装置２に通知する（ステップＳ１１３）。
【００８９】
ギフト情報データ組込部２０３は、選択されたギフトＣＧデータに基づきお客様（顧客）のギフト券データを作成する（ステップＳ１１４）。ギフト情報データ組込部２０３は、ステップＳ１１４で作成したギフト券データをギフト券集合データ２１１の任意の領域に組み込む（ステップＳ１１５）。操作端末４は、開発者等から公営競技の場名（施工主名）を受け付けると、受け付けた公営競技の場名（施工主名）の情報を発券端末管理装置２に送信する（ステップＳ１１６）。
【００９０】
場名定義ファイル生成部２０４は、操作端末４から送信された公営競技の場名と、ギフト券集合データ２１１に組み込まれた、ギフトＣＧデータから作成された顧客のギフト券データの領域と、を紐付ける場名定義ファイルを生成する（ステップＳ１１７）。操作端末４は、開発者等からフィールド適用版数の閲覧請求を受け付けると、受け付けたフィールド適用版数の閲覧請求を発券端末管理装置２に通知する（ステップＳ１１８）。
【００９１】
システム版数管理部２０１は、フィールド適用版数の閲覧請求の通知を受け付けると、ギフト券集合データ２１１に登録されているギフトＣＧ版数の情報、場名定義データ２１２に登録されている場名定義ファイル版数の情報、端末ファーム版数管理ファイル２１３に登録されているファーム区分、最新登録版数情報、適用場名、フィールド適用版数情報、適用端末の情報を操作端末４に通知する（ステップＳ１１９）。
【００９２】
操作端末４は、発券端末管理装置２から通知されたギフトＣＧ版数の情報、場名定義ファイル版数の情報、最新登録版数情報、適用場名、フィールド適用版数情報、適用端末の情報を受信すると、図１３に示すフィールド適用版数管理画面を表示部４２に表示する（ステップＳ１２０）。操作端末４は、開発者等から図１３に示すフィールド適用版数管理画面のフィールド適用版数選択欄５５１に表示されている端末ファーム版数の選択を受け付けると、選択された端末ファーム版数を発券端末管理装置２に送信する（ステップＳ１２１）。
【００９３】
システム版数管理部２０１は、操作端末４から送信された端末ファーム版数に対応するフィールド適用版数を発券端末管理装置２の端末ファーム版数管理ファイル２１３に登録する（ステップＳ１２２）。操作端末４は、開発者等の操作に基づき、品質評価用の投票券発券端末ファームの作成指示を受け付けると、発券端末管理装置２に品質評価用の投票券発券端末ファームの作成指示を通知する（ステップＳ１２３）。
【００９４】
データ転送部２０５は、品質評価用の投票券発券端末ファームの作成指示の通知を受け付けると、場名定義ファイル版数の場名定義ファイルと、ギフトＣＧ版数のギフト券データとを含むギフトデータを収集する（ステップ１２９）。データ転送部２０５は、流用ファームにステップＳ１２４において収集したギフトデータを組み込んで品質評価用の投票券発券端末ファームを作成する（ステップＳ１２５）。データ転送部２０５は、ステップＳ１２５において作成した品質評価用の投票券発券端末ファームを可搬型記憶媒体に転送する（ステップＳ１２６）。
【００９５】
操作端末４は、開発者等からギフトＣＧデータと場名定義ファイルとを含むギフトデータと、端末ファーム版数を含む指定が行われ、ダウンロード指示を受け付けると、指定されたギフトデータと、端末ファーム版数の情報に基づくダウンロード指示を発券端末管理装置２に通知する（ステップＳ１２７）。
【００９６】
データ転送部２０５は、操作端末４から、ギフトＣＧデータと場名定義ファイルとを含むギフトデータと、端末ファーム版数を含む指定が行われ、ダウンロード指示を受け付けると、投票券発券端末３に端末ファーム版数を通知する（ステップＳ１２８）。
【００９７】
投票券発券端末３の版数比較部３０１は、ステップＳ１２８において通知された端末ファーム版数に対応するギフトデータ版数と、投票券発券端末３のギフトデータ版数とを比較する（ステップＳ１２９）。ダウンロード実施部３０２は、比較結果を発券端末管理装置２に通知する（ステップＳ１３０）。ステップＳ１２８において通知された端末ファーム版数に対応するギフトデータ版数が投票券発券端末３のギフトデータ版数よりも新しい場合には、ダウンロード実施部３０２は、発券端末管理装置２に対しギフトデータを要求しダウンロードを実施する。
【００９８】
発券端末管理装置２のデータ転送部２０５は、投票券発券端末３の版数比較部３０１による比較結果に基づき、通知した端末ファーム版数に対応するギフトデータ版数が、投票券発券端末のファーム版数に対応するギフトデータ版数よりも新しい場合には、投票券発券端末３へのギフトデータのダウンロード処理を実行する（ステップＳ１３１）。
【００９９】
ギフトデータのダウンロードが終了した場合には、データ更新部３０３は、ダウンロード実施部３０２によりダウンロードしたギフトデータに含まれるギフト券データおよび場名定義ファイルに基づき、投票券発券端末３の投票券発券端末ファームを更新する（ステップＳ１３２）。この処理が終了すると、発券端末管理システム１が実行する発券端末管理処理は終了となる。
【０１００】
以上のように、本実施形態においては、データ変換部２０２は、操作端末４から送信されたギフト券のデザインを構成する基礎となる基ギフト情報を受信すると、基ギフト情報を投票券発券端末３で扱えるギフトＣＧデータに変換する。ギフト情報データ組込部２０３は、変換されたギフトＣＧデータをギフト券集合データ２１１の任意の領域に組み込む。そして、場名定義ファイル生成部２０４は、ギフト券を使用する公営競技の場名と、ギフト券集合データ２１１に組み込まれたギフトＣＧデータの領域と、を紐付ける場名定義ファイルを生成する。そして、データ転送部２０５は、操作端末４から、ギフトデータのダウンロード指示を受け付けると、投票券発券端末３ギフトデータのシステム版数を通知する。
【０１０１】
これにより、限られた開発者や現調者等の専門のスタッフのみならず、専門の知識を習得していない者であっても、発券端末管理装置２により一括して投票券発券端末３のシステム版数を更新することができる。したがって、ギフト券を発券可能な投票券発券端末を導入する機会が増えた場合であっても、現調者等の専門のスタッフの負担を軽減することができる。これにより、ギフト券を発券可能な投票券発券端末の導入行程が重複した場合であっても、導入行程の調整や稼働時期の遅れを抑制し、施行者の公営競技場の運営に支障を与えずに速やかにギフト券を発券可能な投票券発券端末を導入することができる。
【０１０２】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。更に、異なる実施形態にわたる構成要素を適宜組み合わせてもよい。このような、発明の趣旨を逸脱しない範囲内において種々の変形や応用が可能である。
【符号の説明】
【０１０３】
１  発券端末管理システム
２  発券端末管理装置
３  投票券発券端末
４  操作端末
Ｎ  ネットワーク
２０  管理装置制御部
２１  記憶部
２２  表示部
２３  入力部
２４  可搬型記憶媒体リーダライタ
２５  通信部
３０  発券端末制御部
３１  記憶部
３２  表示部
３３  入力部
３４  読取ユニット
３５  発券ユニット
３６  通信部
４０  操作端末制御部
４１  記憶部
４２  表示部
４３  入力部
４４  通信部
１００  ギフト券
１０１  ギフト場名
１０２  ギフトタイトル
１０３  ギフトガイダンス
１０４ａ、１０４ｂ  二次元バーコード表記欄
２０１  システム版数管理部
２０２  データ変換部
２０３  ギフト情報データ組込部
２０４  場名定義ファイル生成部
２０５  データ転送部
２１１  ギフト券集合データ
２１２  場名定義データ
２１３  端末ファーム版数管理ファイル
３０１  版数比較部
３０２  ダウンロード実施部
３０３  データ更新部
３４１  マークカード読取ユニット
３４２  投票券読取ユニット
【図１】
2020035150.tif 000003
【図２】
2020035150.tif 000004
【図３】
2020035150.tif 000005
【図４】
2020035150.tif 000006
【図５】
2020035150.tif 000007
【図６】
2020035150.tif 000008
【図７】
2020035150.tif 000009
【図８】
2020035150.tif 000010
【図９】
2020035150.tif 000011
【図１０】
2020035150.tif 000012
【図１１】
2020035150.tif 000013
【図１２】
2020035150.tif 000014
【図１３】
2020035150.tif 000015
【図１４】
2020035150.tif 000016
【図１５】
2020035150.tif 000017
【図１６Ａ】
2020035150.tif 000018
【図１６Ｂ】
2020035150.tif 000019
【図１６Ｃ】
2020035150.tif 000020
【図１６Ｄ】
2020035150.tif 000021